(57)【要約】【課題】ユーザーが現在視聴している番組の再放送を気軽に検索することが可能なテレビジョン受像機を目的とする。【解決手段】番組を識別するＩＤデーターが合成した放送信号を取得可能なテレビジョン受像機において、現在視聴中の番組における前記ＩＤデーターを取得するＩＤ取得手段と、前記取得されたＩＤデーターをもとに、電子番組表から前記番組の再放送番組を検索する番組検索手段と、前記番組検索手段による検索によって番組が検出されなかった場合に、次に検索が開始されるまでの経過時間を計時する計時手段と、前記経過時間が第１の時間より長い場合は、前記取得されたＩＤデーターの中から前記第１の時間経過後に変更されないＩＤデーターをもとに前記番組検索手段に検索を実行させる検索制御手段と、前記検索された番組を画面上に表示させる検索結果表示手段と、を有する。【選択図】図４
2011130392.tif 000002
【特許請求の範囲】
【請求項１】
番組を識別するＩＤデーターが合成された放送信号を取得可能なテレビジョン受像機において、
現在視聴中の番組における前記ＩＤデーターを取得するＩＤ取得手段と、
前記取得されたＩＤデーターをもとに、電子番組表から前記番組の再放送番組を検索する番組検索手段と、
前記番組検索手段による検索によって番組が検出されなかった場合に、次に検索が開始されるまでの経過時間を計時する計時手段と、
前記経過時間が第１の時間より長い場合は、前記取得されたＩＤデーターの中から前記第１の時間経過後に変更される可能性が低いＩＤデーターをもとに前記番組検索手段に検索を実行させる検索制御手段と、
前記検索された番組を画面上に表示させる検索結果表示手段と、を有することを特徴とするテレビジョン受像機。
【請求項２】
前記検索制御手段は、
前記経過時間が第２の時間より短い場合は、前記番組検索手段に、再放送番組の内、視聴された番組と同一回の再放送番組を検索させ、
前記経過時間が第２の時間より長い場合は、前記番組検索手段に、視聴された番組にかかる最初の放送回から視聴された回までの再放送番組を検索させることを特徴とする請求項１に記載のテレビジョン受像機。
【請求項３】
前記検索制御手段は、電子番組表が更新された場合に、再度、再放送番組の検索を実行させることを特徴とする請求項１又は請求項２のいずれかに記載のテレビジョン受像機。
【請求項４】
前記番組検索手段は、前記経過時間が第１の時間より短い場合は、再放送番組の検索範囲を同一チャンネルにより行った後、前記同一チャンネルで再放送番組が検出されない場合は、検索範囲を拡大することを特徴とする請求項１〜請求項３のいずれか一項に記載のテレビジョン受像機。
【請求項５】
前記ＩＤデーターは、ＥＩＴ情報のシリーズ記述子、サービス記述子、及びイベント記述子であることを特徴とする請求項１〜請求項４のいずれか一項に記載のテレビジョン受像機。
【請求項６】
前記ＩＤデーターは、ＥＩＴ情報のシリーズ記述子、サービス記述子、及びイベント記述子であって、
前記番組検索手段は、
前記経過時間が第１の時間より短い場合は、再放送番組の検索範囲を同一チャンネルにより行った後、前記同一チャンネルで再放送番組が検出されない場合は、検索範囲を拡大し、
前記検索制御手段は、
前記経過時間が第２の時間より短い場合は、前記番組検索手段に、再放送番組の内、視聴された番組と同一回の再放送番組を検索させ、
前記経過時間が第２の時間より長い場合は、前記番組検索手段に、視聴された番組にかかる最初の放送回から視聴された回までの再放送番組を検索させ、
電子番組表が更新された場合に、再度再放送番組の検索を実行させることを特徴とする請求項１に記載のテレビジョン受像機。
【発明の詳細な説明】
【技術分野】
【０００１】
本発明は、テレビジョン受像機に関し、特に、番組を特定するためのＩＤデーターが合成された放送信号を受信可能なテレビジョン受像機に関する。
【背景技術】
【０００２】
近年、テレビジョン放送において、一度放送した番組を期間をおいて再度放送する（いわゆる再放送）が行われている。例えば、ある時間帯に放送した番組を一ヵ月後の所定時間に放送することで、番組を視聴しなかったユーザーが再度この番組を視聴することが可能となる。
【０００３】
上記した再放送番組においては、電子番組表をもとにこの再放送番組を録画予約する発明が開示されている（例えば、特許文献１−４参照。）。
【先行技術文献】
【特許文献】
【０００４】
【特許文献１】特開２００９−１０５４９８号公報
【特許文献２】特開２００１−２７５０７２号公報
【特許文献３】特開２００６−１２９２８１号公報
【特許文献４】特表２００９−５１５４７２号公報
【発明の概要】
【発明が解決しようとする課題】
【０００５】
ユーザーが番組を視聴している場合において、この番組を再度視聴したいと考える場合がある。例えば、たまたま視聴した番組が放送途中であった場合に、ユーザーがこの番組を初めから視聴したいと考えた場合、ユーザーは番組開始時刻やタイトル名といった番組を特定するための情報を持ち合わせていない。そのため、ユーザーは番組表等を参照して現在視聴中の番組の情報を取得した後、再放送が開始されるか否かを検索する必要があった。さらに、番組が放送されてからその番組が再放送される期間は番組によって差があるため、効果的に再放送番組を検索できない場合があった。
【０００６】
本発明は、上記課題にかんがみてなされたもので、ユーザーが現在視聴している番組の再放送を気軽に検索することが可能なテレビジョン受像機の提供を目的とする。
【課題を解決するための手段】
【０００７】
上記課題を解決するために、本発明では、番組を識別するＩＤデーターが合成した放送信号を取得可能なテレビジョン受像機において、現在視聴中の番組における前記ＩＤデーターを取得するＩＤ取得手段と、前記取得されたＩＤデーターをもとに、電子番組表から前記番組の再放送番組を検索する番組検索手段と、前記番組検索手段による検索によって番組が検出されなかった場合に、次に検索が開始されるまでの経過時間を計時する計時手段と、前記経過時間が第１の時間より長い場合は、前記取得されたＩＤデーターの中から前記第１の時間経過後に変更される可能性が低いＩＤデーターをもとに前記番組検索手段に検索を実行させる検索制御手段と、前記検索された番組を画面上に表示させる検索結果表示手段と、を有する構成としてある。
【０００８】
上記のように構成された発明では、ユーザーが現在視聴中の番組の再放送を検索したい場合において、ユーザーの操作に応じてＩＤ取得手段は、現在視聴中の番組におけるＩＤデーターを取得し、番組検索手段はこのＩＤデーターをもとに再放送番組の検索を行う。この検索手段により電子番組表に記録された番組放送予定の中に検索対象となる再放送番組が存在しない場合、検索制御手段は、所定期間の経過の後、再度番組検索手に再放送番組の検索を実行させるが、再放送番組が放送されるまでの経過時間によっては、ＩＤデーターが変更されてしまう場合が起こりえる。そこで、番組検索手段は、再放送番組の検索を第１の時間が経過した後に行う場合は、取得されたＩＤデーターの内、第１の時間以降、変更される可能性が低いＩＤデーターをもとに電子番組表から前記番組の再放送番組を検索する。
そのため、計時手段により、番組検索手段による検索によって番組が検出されなかった場合に、次に検索が開始されるまでの経過時間を計時する構成とすることで、検索制御手段は、経過時間に応じて番組検索手段により検索手法を変更させる。
ここで、「変更される可能性が低いＩＤデーター」とは、例えば、規格上ある日数が経過すると確実に変更されしまうＩＤデーターと比べて変更される可能性が低いＩＤデーターを意味する概念である。その一例として、放送事業者又は番組名を特定するＩＤデーターが存在する。なお、ＩＤデーターが変更された場合をも考慮して、再放送番組の検索を行なうことも可能であり、この場合においては、より精度よく再放送番組を検索することが可能となる。
【０００９】
そのため、ユーザーは再放送番組を検索するのにその番組名や放送内容を入力する必要がないため、ユーザーが現在視聴している番組の再放送を気軽に検索することができるとともに、最初の再放送番組の検索から一定期間が過ぎることでＩＤデーターが変更される場合においても、再放送番組を検索することが可能となる。
【００１０】
また、上記した経過時間の長さによっては、ユーザーが最初に検索対象として想定した番組の内容を忘れてしまっている場合も想定される。そのため、前記検索制御手段は、前記経過時間が第２の時間より短い場合は、前記番組検索手段に、再放送番組の内、視聴された番組と同一回の再放送番組を検索させ、前記経過時間が第２の時間より長い場合は、前記番組検索手段に、視聴された番組の放送開始から視聴された回までの再放送番組を検索させる構成としてもよい。
上記のように構成された発明では、経過時間が第２の時間を超過している場合は、ユーザーが番組の内容を忘れていると判断し、視聴された番組の放送開始から視聴された回までの再放送番組を検索させるため、ユーザーが再放送番組を視聴する際、より利便性を高めることができる。
【００１１】
そして、再検索を行うタイミングの一例として、前記検索制御手段は、電子番組表が更新された場合に、再度、再放送番組の検索を実行させる構成としてもよい。
上記のように構成された発明では、電子番組の更新されることで再放送番組の放送予定が記録される可能性も高くなるため、より再放送番組が検索される確率を高めることができる。
【００１２】
さらに、番組検索手段による検索方法の具体的な一例として、前記番組検索手段は、前記経過時間が第１の時間より短い場合は、再放送番組の検索範囲を同一チャンネルにより行った後、前記同一チャンネルで再放送番組が検出されない場合は、検索範囲を拡大する構成としてもよい。
上記のように構成された発明では、前記経過時間が第１の時間より短い場合は、再放送番組が放送される可能性が高い同一チャンネルを最初に検索することにより、再放送番組が検索されるのに要する時間を短縮することが可能となる。
【００１３】
また、再放送番組の検索に利用されるＩＤデーターとしては、新たに設計したものに限らず、既存のデーターを用いるものであってもよい。そのため、前記ＩＤデーターはＥＩＴ情報のシリーズ記述子、サービス記述子、及びイベント記述子である構成としてもよい。
上記のように構成された発明では、デジタル放送において番組データーに合成して送信されるＥＩＴ情報のサービス記述子、シリーズ記述子、及びイベント記述子を用いることで、既存のＩＤデーターを流用して本発明を実現することができ、設計を容易にすることができる。
【００１４】
そして、本発明の他の構成として、前記ＩＤデーターは、ＥＩＴ情報のシリーズ記述子、サービス記述子、及びイベント記述子であって、前記番組検索手段は、前記経過時間が第１の時間より短い場合は、再放送番組の検索範囲を同一チャンネルにより行った後、前記同一チャンネルで再放送番組が検出されない場合は、検索範囲を拡大し、前記検索制御手段は、前記経過時間が第２の時間より短い場合は、前記番組検索手段に、再放送番組の内、視聴された番組と同一回の再放送番組を検索させ、前記経過時間が第２の時間より長い場合は、前記番組検索手段に、視聴された番組にかかる最初の放送回から視聴された回までの再放送番組を検索させ、電子番組表が更新された場合に、再度再放送番組の検索を実行させる構成としてもよい。
【発明の効果】
【００１５】
以上説明したように本発明によれば、ユーザーが見たい番組の再放送を負荷なく検索することができるとともに、最初の再放送番組の検索から一定期間が過ぎることでＩＤデーターが変更される場合においても、再放送番組を検索することが可能となる。
また請求項２にかかる発明によれば、ユーザーが再放送番組を視聴する際、より利便性を高めることができる。
そして請求項３にかかる発明によれば、より再放送番組が検索される確率を高めることができる。
さらに請求項４にかかる発明によれば、検索に要する時間を短くすることができる。
また請求項５にかかる発明によれば、テレビジョン受像機の設計を容易にすることができる。
【図面の簡単な説明】
【００１６】
【図１】第１の実施形態にかかるテレビジョン受像機の構成を示すブロック図である。
【図２】電子番組表を説明するための図である。
【図３】ＯＳＤ回路９７により出力される再放送番組の検索にかかる設定画面を説明する図である。
【図４】テレビジョン受像機９０により実行される再放送番組の検索処理を説明するためのフローチャートである。
【図５】第１の検索処理の流れを説明するフローチャートである。
【図６】図４のステップＳ１２においてディスプレイ９５に表示される検索結果を示す図である。
【図７】ディスプレイ９５に表示される録画設定画面を示す図である。
【図８】図５のステップＳ２２において実行される処理を説明するフローチャートである。
【図９】図５のステップＳ２４において実行される処理を説明するフローチャートである。
【図１０】第２の実施形態における第１の検索処理のステップＳ２２で実行される処理を説明するフローチャートである。
【図１１】放送事業者の関係を記録したテーブルを説明するための図である。
【発明を実施するための形態】
【００１７】
以下、図を参照しつつ下記の順序に従って本発明の実施形態を説明する。
（１）第１の実施形態：
（２）第２の実施形態：
（３）第２の実施形態：
（４）その他の実施形態：
【００１８】
（１）第１の実施形態：
以下、図を参照して、この発明に係るテレビジョン受像機を具体化した第１の実施形態について説明する。図１は、第１の実施形態にかかるテレビジョン受像機の構成を示すブロック図である。なお、第１の実施形態では、テレビジョン受像機９０は、その内部に録画再生部（録画手段）を備えて構成されている。
【００１９】
テレビジョン受像機９０は、リモコン装置７０を介した操作を受け付けて番組を放送する他、メニュー画面上でリモコン装置７０等を用いた操作入力を受け付けることで、録画再生部８０に録画予約を実行させることができる。さらに、テレビジョン受像機９０は、ユーザーが番組を視聴している場合に、この番組の再放送が行われるか否かを検索し、検索結果をもとに再放送番組の日時の表示、又は録画予約を実行させることができる。以下、本実施形態にかかるテレビジョン受像機９０の構成を説明する。
【００２０】
＝＝＝テレビジョン受像機の構成＝＝＝
テレビジョン受像機９０は以下の要部を備えて構成されている。符号９１は、外部メモリーであり、後述するチャンネルマップやＩＤデーターを記憶する。符号９２は、制御部であり、テレビジョン受像機９０の駆動を制御する。符号９３は、フロントエンド部であり、図示しないアンテナが受信した放送電波からリモコン装置により選局されたチャンネルのデジタルデーターを抽出する。符号９４は、バックエンド部であり、取得されたデジタルデーターから映像信号及び音声信号を復号化し、出力する。符号９５は、ディスプレイであり、復号された映像信号をもとに映像を出力する。符号９６は、スピーカーであり、復号された音声信号をもとに音声を出力する。符号９７は、ＯＳＤ回路であり、バックエンド部９４から出力される映像信号にＯＳＤ画像を合成する。符号９８は、リモコン受信部であり、リモコン装置７０から出力される赤外線信号を受信し、制御部９２に制御コマンドを出力する。符号８０は、録画再生部であり、制御部９２からの制御信号に応じて番組の録画／再生を行う。
【００２１】
制御部９２は、リモコン受信部９８を介して入力される制御コマンド、及び所定のプログラムの実行により、テレビジョン受像機９０の駆動を制御する。なお、制御部９２は、図示しないＣＰＵや、ＣＰＵを駆動させるためのプログラムやデーターが記憶されたＲＯＭ、及びＣＰＵのワークエリアとして作用するＲＡＭを備えて構成されている。さらに、制御部９２は、その内部に計時手段として作用するタイマー９２ａを備えており、このタイマー９２ａにより経過時間を計測することができる。なお、制御部９２とテレビジョン受像機９０とを構成する各部はバスを介して接続されており、このバスを介して制御が行われる。
【００２２】
フロントエンド部９３は、各種アンテナが受信した放送電波からリモコン装置により選局されたチャンネルの変調信号を抽出する選局部や、選局された変調信号からデジタルデーターを抽出する伝送路復号部を備えて構成されている。本実施形態では、フロントエンド部９３は、デジタル放送を受信する構成として説明を行う。
【００２３】
バックエンド部９４は、取得されたデジタルデーターのスクランブルを解除するデスクランブル部９４ａや、スクランブルを解除されたデジタルデーターからＭＰＥＧ形式の映像・音声信号、及びＴＳ情報を取り出すＭＰＥＧ多重分離部９４ｂ、ＴＳ情報の中のＳＩ情報を処理する基本デコーダー部９４ｃ、更には、映像・音声信号を復号する図示しない映像・音声復号部を備えて構成されている。ここで、ＳＩ情報には、番組情報を特定するためのＥＩＴ情報が含まれており、基本デコーダー部９４ｃは、ＥＩＴ情報を用いて電子番組表を作成する他、このＥＩＴ情報に含まれるサービス記述子、イベント記述子、及びシリーズ記述子を取得する。
【００２４】
サービス記述子とは、チャンネルを放送する放送事業者が記述されたデーターであり、本実施形態では放送事業者を特定するために用いられる。
【００２５】
イベント記述子とは、番組名（イベント名）及び番組名に関する短い文字情報が記述されたデーターであり、本実施形態では番組名を特定するために用いられる。
【００２６】
シリーズ記述子とは、所定のアプリケーションにより番組を関連付けて扱うためのデーターであり、本実施形態では、このシリーズ記述子を所定番組とこの番組の再放送番組とを関連付けるデーターとして使用する。ここで、本実施形態では、再放送番組の検索に用いるシリーズ記述子として、「series_id」、「episode_number」、「repeat_label」を使用する。「series_id」は、同一のメディアを特定するものであり、同一の番組であれば再放送された番組であっても同じ値を有する。なお、「series_id」は１００日経過後に変更されてしまう記述子である。また、「episode_number」は、同一番組がシリーズで放送されている場合に各放送回を特定するための値であり、番組の放送回数ごとに異なった値となる。そして、「repeat_label」は、ある番組が期間を別にして放送される場合にその放送回数（再放送の回数）を特定するための値であり、再放送の回数毎に異なった値となる。
【００２７】
録画再生部８０は、例えば、ＢＤ（ブルーレイディスク）やＤＶＤ等のメディア、又はＨＤＤに記憶されたデーターをピックアップ部により読取り、インターフェースを通じてバックエンド部９４に送信する。また、録画再生部８０がバックエンド部９４から出力されるデーターをインターフェースを通じて受信した場合は、取得したデーターをピックアップ部を用いてメディア又はＨＤＤに記憶させる。なお、録画再生部８０は、図示しないシステムコントローラーを内部に備え、制御部９２からの制御コマンドによりその駆動を制御する。
【００２８】
外部メモリー９１は、番組データーに付加されて送信されたＳＩ情報、及びこのＳＩ情報により作成された電子番組表を記憶している。基本デコーダー部９４ｃはＳＩ情報をもとに各ネットワーク（地上デジタル、ＢＳ、ＣＳ）毎に、電子番組表を製作し、外部メモリー９１に記憶する。図２は、電子番組表を説明するための図である。図２に示す電子番組表では、横軸を各チャンネル軸とし、縦軸を時間軸として、所定ネットワークにおける一週間分の放送予定の番組が特定できるよう記録されている。また、この番組表に記録される各番組は上記したサービス記述子、イベント記述子、及びシリーズ記述子が対応付けて記録されている。
【００２９】
ＯＳＤ回路９７は、制御部９２から出力される映像データーにＯＳＤ画像を合成して出力させる。ＯＳＤ回路９７が出力させるＯＳＤ画像としては、テレビジョン受像機９０の各種設定を選択するためのＧＵＩ（Graphical User Interface）であるメニュー画面、及び再放送番組の検索にかかる各種画面が含まれる。なお、ＯＳＤ回路９７が出力するＯＳＤ画像は予め内部メモリーに記憶されたものであり制御コマンドに応じて出力されるＯＳＤ画像が決定される。
【００３０】
リモコン装置７０は、チャンネルを選局するためのチャンネルキー７１の他、テレビジョン受像機９０に現在視聴中の番組の再放送番組を検索させるための制御コマンドを送信する再放送番組検索キー７２や、検索結果として表示された再放送予定の番組をテレビジョン受像機９０に録画予約させる制御コマンドを送信する録画予約キー７３を備えて構成されている。
【００３１】
上記構成により、テレビジョン受像機９０は、アンテナにより受信されたテレビジョン放送をもとに番組を放送する。また、ユーザーが番組を視聴している場合にリモコン装置７０の再放送番組検索キー７２を操作すると、テレビジョン受像機９０は現在放送中の番組が再放送されるか否かを電子番組表から検索する。このとき、本実施形態では、視聴中に実行される一度目の検索において再放送番組が検索されない場合でも、電子番組が更新される毎に再放送番組の検索を実行する。
上記構成により、再放送番組の検索はユーザーがリモコン装置７０の再放送番組検索キー７２を操作するのみで実行することができ、番組を特定するための、番組名や、識別データーの入力を必要としない。そのため、ユーザーが見たい番組の再放送を負荷なく検索することができる。以下、テレビジョン受像機９０における再放送番組の検索処理を説明する。
【００３２】
＝＝＝再放送番組を検索する際に使用される検索処理について＝＝＝
以下、本実施形態にかかる再放送番組の検索手法を説明する前に本実施形態において使用される第１の検索処理と第２の検索処理について説明を行う。第１の検索処理と第２の検索処理は、供に再放送番組を検索するための番組検索手段として機能する。ここで、検索を行なうために使用されるＩＤデーター（シリーズ記述子の「series_id」）は番組の放送開始から所定時間を経過することにより変更される値であるため、本実施形態では、番組が放送されてから検索が行なわれるまでの経過時間に応じて第１の検索処理と第２の検索処理とを使い分けている。
【００３３】
第１の検索処理では、ユーザーが視聴した番組にかかるＩＤデーターの内、シリーズ記述子を含むＩＤデーターを用いて再放送番組の検索を行なう。シリーズ記述子の内「series_id」は番組の放送から１００日以後は変更されてしまうＩＤデーターではあるが、「series_id」、「episode_number」、「repeat_label」を使用することで電子番組表から再放送番組の検索を迅速に行なうことが可能となる。そのため、第１の検索処理においては、再放送番組が放送される可能性が高い同一ネットワーク内の同一チャンネルを上記シリーズ記述子により検索した後、再放送番組が検出されない場合は検索範囲を他のネットワークに拡大して検索を行なう。なお、他のネットワークにおける検索では、更に、サービス記述子とイベント記述子とを使用する。
さらに、第１の検索処理では、上記シリーズ記述子を用いることに加えて、イベント記述を用いて再放送番組を特定する構成としてもよい。
【００３４】
第２の検索処理では、ユーザーが視聴した番組にかかるＩＤデーターの内、サービス記述子、イベント記述子、及びシリーズ記述子の「episode_number」を使用して再放送番組の検索を行なう。サービス記述子、イベント記述子及び「episode_number」は、上記したシリーズ記述子「episode_number」に比べて変更される可能性が低い。そのため、本実施形態では、第２の検索処理は、ユーザーの視聴から１００日経過した後の再放送番組の検索において使用される。
ここで、同一番組において、初回放送（再放送ではない放送）と再放送とで放送事業者が異なる場合もあり、その場合、再放送番組においてはシリーズ記述子が異なる場合もある。そのため、本実施形態ではシリーズ記述子の変更にも対応できるような構成としてある（具体的な構成は後述する。）。
また、同一番組において、初回放送と再放送とで番組名が異なる場合もあり、その場合、再放送番組においてはイベント記述子が変更されてしまう場合もある。即ち、再放送番組においては、初回放送時の番組名に付記的文字を付することで初回放送と再放送番組との区別を行っている場合もある。そのため、イベント記述子を用いる場合、完全一致のみならず、部分一致をも考慮して判断を行う（第１の検索処理においてイベント記述子を用いる場合も同様）。
【００３５】
＝＝＝再放送番組の検索処理について＝＝＝
図３は、ＯＳＤ回路９７により出力される再放送番組の検索にかかる設定画面を説明する図である。本実施形態にかかる再放送番組の検索はユーザーの設定によって検索実行の有無を切換えることができる。即ち、ユーザーがリモコン装置７０を操作して、図３に示す設定画面を表示させ、この設定画面にて「自動検索」を「入」に設定した場合は、番組視聴中にリモコン装置７０の再放送番組検索キー７２を操作するだけで、テレビジョン受像機９０に対して現在視聴中の番組にかかる再放送番組を検索させることができる。一方、ユーザーが「自動選択」を選択しない場合は、自動検索は実行されない。
【００３６】
図４は、テレビジョン受像機９０により実行される再放送番組の検索処理を説明するためのフローチャートである。図４に示す処理は、ユーザーがテレビジョン受像機９０により所定の番組を視聴している場合に実行される処理である。
【００３７】
ステップＳ１において、ユーザーが任意の番組を視聴している状態で、リモコン装置７０の再放送番組検索キー７２を操作すると、制御部９２は制御コマンドを受信し（ステップＳ２：ＹＥＳ）、現在視聴中の番組の再放送番組を検索を実行する（ステップＳ３）。
【００３８】
ステップＳ３により実行される検索処理は、現在視聴中の番組にかかるＩＤデーターを取得して行われる検索方法であり、また電子番組表は現在取得されたものを用いて再放送番組を検索するため、第１の検索処理を用いて検索を行なってもよいし、第２の検索処理を用いて検索を行なってもよい。
【００３９】
ステップＳ３の検索処理において再放送番組が検索されない場合（ステップＳ４：ＮＯ）、制御部９２は番組のサービス記述子（「放送事業者名」）、イベント記述子（「番組名」）、及びシリーズ記述子（「series_id」、「episode_number」、「repeat_label」）をメモリーに記憶しておく（ステップＳ５）。一方、再放送番組が検索された場合（ステップＳ４：ＹＥＳ）、制御部９２は検索結果を画面上に表示させる（ステップＳ１２）。なお、具体的な検索結果の表示方法については後述する。
【００４０】
ステップＳ６において、ステップＳ３における検索から１年が経過していないため（ステップＳ６：ＮＯ）、制御部９２はステップＳ７に進む。また、電子番組表の更新が行われた場合は（ステップＳ７：ＹＥＳ）、制御部９２はステップＳ３における検索から１００日が経過しているか否かを判断し、１００日経過していない場合は（ステップＳ８：ＹＥＳ）、制御部９２は新たな電子番組表をもとに第１の検索処理を用いて再放送番組の再検索を行う（ステップＳ９）。なお、電子番組の更新に合わせて検索を行なうことで、再放送番組を検出する可能性を高めることが可能となる。なお、ステップＳ６における１年の経過の判断はタイマー９２ａによる計時による以外も、電子番組表に記録される日時から判断するものであってもよい。
【００４１】
図５は、第１の検索処理の流れを説明するフローチャートである。第１の検索処理では、制御部９２は、ステップＳ５でメモリーに記憶したサービス記述子、イベント記述子、及びシリーズ記述子を取得する（ステップＳ２１）。次に、制御部９２は、シリーズ記述子を用いてユーザー視聴した番組と同一ネットワークの同一チャンネルを対象とする検索を行なった後（ステップＳ２２）、再放送番組が検索されない場合は（ステップＳ２３：ＮＯ）、サービス記述子及びイベント記述子の使用も含めて他のネットワークに対象を拡大した検索を行なう（ステップＳ２４）。そのため、再放送番組が放送される可能性が高い同一ネットワークの同一チャンネルを最初に検索することで、番組の検索に要する時間を短縮させる可能性を高めている。
【００４２】
一方、図４のステップＳ８において、ステップＳ３における検索から１００日が経過している場合は（ステップＳ８：ＮＯ）、制御部９２は新たな電子番組表をもとに第２の検索処理を用いて再検索を行なう（ステップＳ１０）。この第２の検索処理では、制御部９２は、サービス記述子、イベント記述子、及びシリーズ記述子を用いることで、対象を全ネットワークとする再放送番組の検索を行なう。そのため、ステップＳ９、１０の処理により制御部は検索制御手段を実現する。
【００４３】
ステップＳ９又はＳ１０における検索において再放送番組が検索された場合は（ステップＳ１１：ＹＥＳ）、制御部９２は検索結果をディスプレイ９５に表示させる（ステップＳ１２）。図６は、図４のステップＳ１２においてディスプレイ９５に表示される検索結果を示す図である。図６に示すように、図中、画面右下には、検索結果として、再放送番組が放送される「放送局」、「日時」、「放送時間」が表示される。即ち、現在放送される番組の視聴を邪魔しないように、画面右下に検索結果として「ＡＡＡ放送局、５／２６（火）１５：００−１５：３０」、「ＡＡＡ放送局、５／２７（火）５：００−５：３０」が表示される。この検索結果は電子番組表に関連づけて記憶されるＳＩ情報をもとに作成される。そのため、ユーザーは番組の視聴を邪魔されることなく検索結果を参照することができる。以上、ステップＳ１２の処理により制御部９２は本発明の検索結果表示手段を実現する。
【００４４】
また、この状態で、ユーザーがリモコン装置７０の録画予約キー７３を操作すると、制御部９２は、録画再生部８０に対してステップＳ３で検索された再放送番組の録画予約を実行させる構成としてもよい。図７は、ディスプレイ９５に表示される録画設定画面を示す図である。ユーザーは録画設定画面に表示された各アイコンを操作して、再放送予定番組の録画予約を行うことが可能となる。
【００４５】
一方、ステップＳ９又はＳ１０における再検索処理においても再放送番組が検索されない場合は、制御部９２は、ステップＳ６に戻り電子番組表の更新を監視する。ここで、ユーザーが放送を視聴してから１年が経過した場合は（ステップＳ６：ＹＥＳ）、制御部９２はメモリーに記憶されたＩＤデーターを削除し（ステップＳ１３）、再放送番組の検索を終了する。
【００４６】
以上説明したように、本発明にかかるテレビジョン受像機９０では、ユーザーが任意の番組を視聴している状況で、この番組を再度、視聴したいと考えた場合などに、リモコン装置７０の再放送番組検索キー７２を操作することにより、現在放送中の番組におけるＩＤデーターを取得し、このＩＤデーターをもとに電子番組表から再放送番組を検索する。そのため、ユーザーは再放送番組の検索において、番組名称の入力や、その他、番組を特定するための入力を行う必要がなく、ユーザーの操作負荷を軽減しつつ再放送番組を検索することができる。
【００４７】
＝＝＝第１の検索処理の具体的な流れ＝＝＝
以下、第１の検索処理の具体的な流れを説明する。図８は、図５のステップＳ２２において実行される処理を説明するフローチャートである。更に、図９は、図５のステップＳ２４において実行される処理を説明するフローチャートである。以下、図８及び図９をもとに、第１の検索処理の具体的な手法を説明する。
【００４８】
ステップＳ３１において、制御部９２は電子番組表に記録された同一チャンネルの全ての番組に対して検索を行なっていない場合は、ステップＳ３２に進む。
【００４９】
ステップＳ３２において、制御部９２は、メモリーに記憶されたシリーズ記述子、及び外部メモリー９１に記憶された番組表を参照して、再放送番組の比較を行なう。即ち、制御部９２は取得した「series_id」、「episode_number」、「repeat_label」のシリーズ記述子と、電子番組表に記録された各番組が備えるシリーズ記述子とを比較する。ここで、再放送番組では「repeat_label」が異なった値となるため、「series_id」及び「episode_number」のみを検索の対象としてもよい。さらに、ステップＳ３２では、シリーズ記述子を用いることに加えて、イベント記述を用いてもよい。
【００５０】
制御部９２は、各シリーズ記述子が一致する番組を電子番組表から検出した場合は(ステップＳ３３：ＹＥＳ）、ステップＳ３４において、検出した番組を現在視聴中の番組にかかる再放送番組であると判断する。
【００５１】
ステップＳ３５において、制御部９２は、電子番組表に記憶された他の番組に対しても検索を行ない、全ての番組を範囲として再放送番組の検索がされた場合は（ステップＳ３１：ＮＯ）、検索を終了し、図５に示すフローチャートのステップＳ２３に戻る。
【００５２】
一方、ステップＳ２２による検索により再放送番組が検索されない場合は（図５のステップＳＳ２３：ＮＯ）、制御部９２は、他のネットワークを対象とした再放送番組の検索を行なう（ステップＳ２４）。
【００５３】
図９において、制御部９２は電子番組表に記録された全てのネットワークに対して検索を行なっていない場合は（ステップＳ４１：ＮＯ）、ステップＳ４２に進む。また、制御部９２は比較対象とするネットワークにおける全てのチャンネルを検索していない場合は（ステップＳ４２：ＮＯ）、ステップＳ４４に進む。
【００５４】
ステップＳ４４において、制御部９２は検索対象とする番組を放送する放送事業者名が現在視聴中の番組と関連があるか否かを判断する。即ち、制御部９２は、図５のステップＳ２１で取得した現在視聴中の番組のサービス記述子と電子番組表に記録された比較対象の番組のサービス記述子とを比較し、放送事業者が同一又は関連があるかを判断する。ここで、関連する放送事業者間では、事業者名の一部が同一である場合もあるため、事業者名の内その一部（例えば、ＡＡＡ放送と、ＡＡＡネットワークにおける「ＡＡＡ」の文字。）が同じであるものを関連する放送事業者として判断してもよい。一方、放送事業者が同じでなければ（ステップＳ４４：ＮＯ）、制御部９２は比較対象を他のチャンネルに切換える（ステップＳ４７）。
【００５５】
制御部９２は比較対象チャンネルにおける全ての番組を比較していなければ（ステップＳ４５：ＮＯ）、ステップＳ４６に進む。
【００５６】
ステップＳ４６では、制御部９２はステップＳ２１で取得された各ＩＤデーターと、電子番組表に記録された比較対象の番組のＩＤデーターを比較する。即ち、制御部９２は、両番組のイベント記述子、シリーズ記述子（episode_number）を比較した結果が一致する（イベント記述子においては、番組名の一部一致も含む）場合は（ステップＳ４８：ＹＥＳ）、この番組を現在視聴中の番組の再放送番組であると判断する（ステップＳ４９）。
【００５７】
ステップＳ５０において、制御部９２は比較対象チャンネルにおける次の番組を比較対象とし、ステップＳ４５−Ｓ４９の処理を繰返す。また、放送事業者が関連すると認定されたチャンネルにおいて番組の比較処理は全ての番組が比較されるまで（ステップＳ４５：ＹＥＳ）実行される。
【００５８】
さらに、比較対象ネットワークの全てのチャンネルが比較されると（ステップＳ４２：ＹＥＳ）、制御部９２は比較対象を他のネットワークに切換える（ステップＳ４３）。例えば、比較対象が地上デジタル放送であったものがＢＳデジタル放送に切り替わる。そのため、制御部９２は電子番組表を対象ネットワークのものに変更し、以後、同一の処理を繰返す。
【００５９】
テレビジョン受像機９０が受信可能な全てのネットワークにおいて番組の比較が終了した場合は（ステップＳ４１：ＹＥＳ）、検索を終了し、図４のステップＳ４に戻る。以上、第１の検索処理を説明した。
【００６０】
＝＝＝第２の検索処理の具体的な流れ＝＝＝
第２の検索処理の具体的な手法は、図９に示す検索処理を流用すればよい。即ち、図９のステップＳ４４において、制御部９２は検索対象とする番組を放送する放送事業者名が現在視聴中の番組と関連があるか否かを判断する。一方、放送事業者が同じでなければ（ステップＳ４４：ＮＯ）、制御部９２は比較対象を他のチャンネルに切換える（ステップＳ４７）。
【００６１】
制御部９２は比較対象チャンネルにおける全ての番組を比較していなければ（ステップＳ４５：ＮＯ）、ステップＳ４６に進む。
【００６２】
ステップＳ４６では、制御部９２はステップＳ２１で取得された各ＩＤデーターと、電子番組表に記録された比較対象の番組のＩＤデーターを比較する。即ち、制御部９２は、両番組のイベント記述子、シリーズ記述子（episode_number）を比較した結果が一致する（イベント記述子においては番組名の一部一致も含む）場合は（ステップＳ４８：ＹＥＳ）、この番組を現在視聴中の番組の再放送番組であると判断する（ステップＳ４９）。
【００６３】
ステップＳ５０において、制御部９２は比較対象チャンネルにおける次の番組を比較対象とし、ステップＳ４５−Ｓ４９の処理を繰返す。また、放送事業者が関連すると認定されたチャンネルにおいて番組の比較処理は全ての番組が比較されるまで（ステップＳ４５：ＹＥＳ）実行される。
【００６４】
さらに、比較対象ネットワークの全てのチャンネルが比較されると（ステップＳ４２：ＹＥＳ）、制御部９２は比較対象を他のネットワークに切換える（ステップＳ４３）。テレビジョン受像機９０が受信可能な全てのネットワークにおいて番組の比較が終了した場合は（ステップＳ４１：ＹＥＳ）、検索を終了し、図４のステップＳ４に戻る。以上、第２の検索処理の具体的な手法を説明した。
【００６５】
（２）第２の実施形態：
上記した第１の検索処理、及び第２の検索処理において番組の放送された日から経過時間が所定期間（例えば、３０日）を過ぎた場合に、検索対象とする再放送番組の放送回数を拡大する構成としてもよい。即ち、検索が開始されてから３０日を過ぎると、ユーザーは視聴を行った番組の内容を忘れている場合も想定される。そのため、３０日を経過した場合は、ユーザーが番組の内容を忘れていると判断し、視聴された番組の放送開始（１回目の放送）から視聴された回までの再放送番組を検索させ構成とすることで、ユーザーが再放送番組を視聴する際より利便性を高めることができる。
【００６６】
図１０は、第２の実施形態における第１の検索処理のステップＳ２２で実行される処理を説明するフローチャートである。図１０に示すフローチャートは図８とステップＳ６４以外の処理が同じであるため、簡略的に説明を行う。
【００６７】
一度目の検索からの経過時間が３０日を超えている場合において、図５のステップ２１では、制御部９２はサービス記述子、イベント記述子、及びシリーズ記述子を取得する。そして、比較対象の番組の「series_id」、「repeat_label」が同一である場合は（ステップＳ６３：ＹＥＳ）、ステップＳ６４に進む。そして、「episode_number」がユーザーが視聴した番組の「episode_number」を示す「Ｎ」以下である場合は（ステップＳ６４：ＹＥＳ）、この番組を再放送番組として判断する。即ち、「episode_number」がＮ以下であればこの番組はユーザーが視聴した番組より前の放送回における再放送番組であるため、この番組を検索対象の番組とすることができる。以上、第２の実施形を説明した。
【００６８】
（３）第３の実施形態：
図９のステップＳ４４において、検索対象とする番組を放送する放送事業者名が現在視聴中の番組と関連があるか否かを判断する際に、予め放送事業者のグループを特定するためのテーブルを備えておき、制御部９２は、このテーブルを用いて放送事業者名の関連を特定するものであってもよい。図１１は、放送事業者の関係を記録したテーブルを説明するための図である。図１１に示すテーブルには、例えば、「ＮＨＫ総合」、「ＮＨＫ教育」、「ＢＳ１」、「ＢＳ２」とが、同一グループとして関連付けられ記録されている。そのため、制御部９２は、ステップＳ４４において、ユーザーが現在視聴中の番組の放送事業者が「ＮＨＫ総合」である場合に、検索対象となる放送事業者が「ＮＨＫ教育」、「ＢＳ１」、「ＢＳ２」にまで拡大される。なお、図１０に示すテーブルにおける放送事業者の関連付けは、初期値として記録されたものの他、ユーザーが任意に放送事業者の対応関係を変更するものであってもよい。上記構成とすることで、より精度よく再放送番組を検出することが可能となる。
【００６９】
（４）その他の実施形態：
本発明は様々な変形例が存在する。
テレビジョン受像機９０は、その内部に録画再生部８０を備える意外にも、メディアプレーヤー等の録画再生装置と接続することで、この録画再生装置に対して録画処理を実行させる構成としてもよい。
【００７０】
２度目以降の検索を行なうタイミングとしては、電子番組表が更新される場合に限定されない。例えば、テレビジョン受像機９０のメイン電源がオンされた場合に、再放送番組の検索を行なう構成としてもよい。
【００７１】
本発明にかかるＩＤデーターの構成は一例であり、これに限定されない。
【００７２】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００７３】
７０…リモコン装置、７１…チャンネルキー、７２…再放送番組検索キー、７３…録画予約キー、８０…録画再生部、９０…テレビジョン受像機、９１…外部メモリー、９２…制御部、９２ａ…タイマー、９３…フロントエンド部、９４…バックエンド部、９４ａ…デスクランブル部、９４ｂ…ＭＰＥＧ多重分離部、９４ｃ…基本デコーダー部、９５…ディスプレイ、９６…スピーカー、９７…ＯＳＤ回路、９８…リモコン受信部
【図１】
2011130392.tif 000003
【図２】
2011130392.tif 000004
【図３】
2011130392.tif 000005
【図４】
2011130392.tif 000006
【図５】
2011130392.tif 000007
【図６】
2011130392.tif 000008
【図７】
2011130392.tif 000009
【図８】
2011130392.tif 000010
【図９】
2011130392.tif 000011
【図１０】
2011130392.tif 000012
【図１１】
2011130392.tif 000013